(57)【要約】      （修正有）【課題】構造が簡単で部品点数も少なくて済み、コスト的な面で有利となるとともに、組み立ておよび分解時の作業性を改善できる制御盤装置を得る。【解決手段】制御盤装置は、ケーシング内に収容されたフレーム４と、フレーム４の高さ方向に間隔を存して配置された複数の支持板８と、隣り合う支持板８の間に跨って支持された取り付け板１６と、取り付け板１６に支持され、フレーム４の支柱５ａに沿って配線されるリード線２８を有する機器と、リード線２８を覆うカバー３７と、を備えている。支持板８は、支柱５ａに固定された端部に第１の嵌合部１４を有する。取り付け板１６は、支柱５ａと隣り合う端部に第２の嵌合部２５を有する。カバー３７は、複数の支持板８の間に亘る長さ寸法を有するとともに、第１の嵌合部１４および第２の嵌合部２５に取り外し可能に嵌め込まれている。【選択図】図１１
2011061908.tif 000002
【特許請求の範囲】
【請求項１】
箱形のケーシングと、
前記ケーシング内に収容され、互いに間隔を存して起立する一対の支柱を有するフレームと、
前記支柱の間に跨るように前記フレームに固定され、前記支柱の高さ方向に間隔を存して配置された複数の支持板と、
前記隣り合う支持板の間に跨って支持された取り付け板と、
前記取り付け板に支持され、前記支柱に沿って配線されるリード線を有する機器と、
前記支柱に沿って配線される前記リード線を覆うカバーと、を具備する制御盤装置であって、
前記支持板は、前記支柱に固定された端部に第１の嵌合部を有し、前記取り付け板は、前記支柱と隣り合う端部に第２の嵌合部を有し、前記カバーは、前記複数の支持板の間に亘る長さ寸法を有するとともに、前記第１の嵌合部および前記第２の嵌合部に取り外し可能に嵌め込むことで保持されていることを特徴とする制御盤装置。
【請求項２】
請求項１の記載において、前記第１の嵌合部および前記第２の嵌合部は、前記支柱の高さ方向に沿って交互に並んでいることを特徴とする制御盤装置。
【請求項３】
請求項２の記載において、前記第１の嵌合部は、前記支持板の端部から前記支持板と交差する方向に折り曲げられているとともに、前記第２の嵌合部は、前記取り付け板の端部から前記取り付け板と交差する方向に折り曲げられていることを特徴とする制御盤装置。
【請求項４】
請求項３の記載において、前記カバーは、前記支柱に沿って延びる第１の縁部と、この第１の縁部の反対側に位置する第２の縁部とを有し、前記第１の縁部に前記第１の嵌合部が取り外し可能に嵌まり込む第１の溝が形成されているとともに、前記第２の縁部に前記第２の嵌合部が取り外し可能に嵌まり込む第２の溝が形成されていることを特徴とする制御盤装置。
【請求項５】
請求項４の記載において、前記カバーは合成樹脂製であり、このカバーが持つ固有の弾力により、前記第１の縁部と前記第１の溝との嵌合状態および前記第２の縁部と前記第２の溝との嵌合状態が維持されていることを特徴とする制御盤装置。
【請求項６】
箱形のケーシング内に互いに間隔を存して収容されるとともに、一端に嵌合部を有する複数の取り付け板と、
前記取り付け板に支持され、複数のリード線が接続された機器と、
前記取り付け板の他端に支持され、前記リード線を保持するとともに、隣り合う他の取り付け板の嵌合部と向かい合うリード線保持具と、
前記取り付け板の嵌合部と、隣り合う他の取り付け板のリード線保持具との間に跨るように、前記嵌合部および前記リード線保持具に夫々取り外し可能に嵌め込まれて、前記リード線保持具を通貨した前記リード線を覆うカバーと、
を具備したことを特徴とする制御盤装置。
【請求項７】
請求項６の記載において、前記リード線保持具は、前記リード線が差し込まれる複数の保持溝が形成された保持部を有し、前記取り付け板の前記嵌合部は、前記取り付け板の一端から前記隣り合う他の取り付け板の前記リード線保持具の保持部に向けて折り曲げられていることを特徴とする制御盤装置。
【請求項８】
請求項７の記載において、前記カバーは、前記取り付け板の前記嵌合部と向かい合う第１の縁部と、前記リード線保持具の保持部と向かい合う第２の縁部とを有し、前記第１の縁部に前記嵌合部が取り外し可能に嵌まり込む第１の溝が形成されているとともに、前記第２の縁部に前記保持部が取り外し可能に嵌まり込む第２の溝が形成されていることを特徴とする制御盤装置。
【請求項９】
請求項８の記載において、前記カバーは合成樹脂製であり、このカバーが持つ固有の弾力により、前記嵌合部と前記第１の溝との嵌合状態および前記保持部と前記第２の溝との嵌合状態が維持されていることを特徴とする制御盤装置。
【請求項１０】
互いに間隔を存して起立する一対の支柱を有するフレームと、
前記支柱の間に跨るように前記フレームに固定され、前記支柱の高さ方向に間隔を存して配置された複数の支持板と、
前記隣り合う支持板の間に跨って支持された取り付け板と、
前記取り付け板に支持された機器から前記支柱に沿うように配線されたリード線と、
前記リード線を覆うカバーと、を具備し、
前記支持板は、前記支柱に固定された端部に第１の嵌合部を有し、前記取り付け板は、前記支柱と隣り合う端部に第２の嵌合部を有し、前記カバーは、前記複数の支持板の間に亘る長さ寸法を有するとともに、前記第１の嵌合部および前記第２の嵌合部に取り外し可能に嵌め込まれていることを特徴とするカバー支持装置。
【請求項１１】
請求項１０の記載において、前記第１の嵌合部および前記第２の嵌合部は、前記支柱の高さ方向に沿って交互に並んでいることを特徴とするカバー支持装置。
【発明の詳細な説明】
【技術分野】
【０００１】
本発明は、箱形のケーシングの内部に各種の電気機器を収容した制御盤装置に係り、特に電気機器から引き出されたリード線をカバーで覆うための構造に関する。さらに本発明は、支柱に沿って配線されるリード線を覆うカバーの支持装置に関する。
【背景技術】
【０００２】
箱形のケーシングの内部に、例えば各種の開閉器、保護装置および端子台等を収容した制御盤装置が知られている。この種の制御盤装置は、ケーシングの内部に組み込まれたフレームを備えている。フレームは、互いに間隔を存して起立する一対の支柱を有し、これら支柱の間に複数の支持板が架け渡されている。支持板の端部は、支柱に取り付けたレールに例えばボルトのような締め付け具を介して支持されている。
【０００３】
支持板は、支柱の高さ方向に互いに間隔を存して並んでいる。隣り合う支持板の間に跨って器具取り付けパネルが固定されている。器具取り付けパネルは、前記開閉器や保護装置のような電気機器を支持している。電気機器から引き出された複数のリード線は、器具取り付け板の端部に導かれるとともに、ここから支柱に沿うように配線されている（例えば、特許文献１参照）。
【０００４】
支柱に沿って配線されるリード線は、複数の保持具によって保持されている。保持具は、支持板の端部にねじ止め又は係合等の手段により支持されて、支柱の高さ方向に間隔を存して一列に並んでいる。保持具は、リード線が支柱の周囲に張り出すのを抑えている。これにより、リード線の配線経路が定まり、リード線をケーシングの内部に整然と配線することができる。
【先行技術文献】
【特許文献】
【０００５】
【特許文献１】特開２００７−２５９５７９号公報
【発明の概要】
【発明が解決しようとする課題】
【０００６】
従来の制御盤装置では、リード線が支柱の周囲に張り出すことがないように、リード線を支柱の高さ方向に間隔を存して配置された複数の保持具によって保持している。
【０００７】
しかしながら、この構成によると、数多くの保持具を始めとして個々の保持具を支持板に固定するためのねじ等を必要とし、制御盤装置の部品点数が多くなるのを避けられない。しかも、複数の保持具を一つ一つ手作業で支持板に固定する作業を強いられるので、制御盤装置の組み立て作業に手間と労力を要しており、作業性の面でいま一歩改善の余地が残されている。
【０００８】
本発明の目的は、構造が簡単で部品点数も少なくて済み、コスト的な面で有利となるとともに、組み立ておよび分解時の作業性を改善できる制御盤装置を得ることにある。
【０００９】
本発明の他の目的は、構造が簡単で部品点数を削減することができ、しかも、カバーの着脱作業を簡単に行なえるカバー支持装置を得ることにある。
【課題を解決するための手段】
【００１０】
上記目的を達成するため、本発明の一つの形態に係る制御盤装置は、  
箱形のケーシングと、  
前記ケーシング内に収容され、互いに間隔を存して起立する一対の支柱を有するフレームと、  
前記支柱の間に跨るように前記フレームに固定され、前記支柱の高さ方向に間隔を存して配置された複数の支持板と、  
前記隣り合う支持板の間に跨って支持された取り付け板と、  
前記取り付け板に支持され、前記支柱に沿って配線されるリード線を有する機器と、  
前記支柱に沿って配線される前記リード線を覆うカバーと、を備えている。  
前記支持板は、前記支柱に固定された端部に第１の嵌合部を有し、前記取り付け板は、前記支柱と隣り合う端部に第２の嵌合部を有している。前記カバーは、前記複数の支持板の間に亘る長さ寸法を有するとともに、前記第１の嵌合部および前記第２の嵌合部に取り外し可能に嵌め込むことで保持されていることを特徴としている。
【００１１】
前記目的を達成するため、本発明の一つの形態に係るカバー支持装置は、  
互いに間隔を存して起立する一対の支柱を有するフレームと、  
前記支柱の間に跨るように前記フレームに固定され、前記支柱の高さ方向に間隔を存して配置された複数の支持板と、  
前記隣り合う支持板の間に跨って支持された取り付け板と、  
前記取り付け板に支持された機器から前記支柱に沿うように配線されたリード線と、  
前記リード線を覆うカバーと、を備えている。  
前記支持板は、前記支柱に固定された端部に第１の嵌合部を有し、前記取り付け板は、前記支柱と隣り合う端部に第２の嵌合部を有している。前記カバーは、前記複数の支持板の間に亘る長さ寸法を有するとともに、前記第１の嵌合部および前記第２の嵌合部に取り外し可能に嵌め込まれていることを特徴としている。
【発明の効果】
【００１２】
本発明によれば、リード線を保持するために必要な部品点数を少なく抑えて構造を簡略化することができ、コスト的な面で有利となる。しかも、カバーは単なる嵌め込みによって保持されるので、カバーの着脱作業を極めて簡単に行なうことができ、作業性が向上する。
【図面の簡単な説明】
【００１３】
【図１】本発明の実施の形態に係る制御盤装置の斜視図。
【図２】本発明の実施の形態において、ケーシングの内部にフレームを組み込む状態を示す制御盤装置の斜視図。
【図３】本発明の実施の形態で用いるフレームの斜視図。
【図４】本発明の実施の形態に係る制御盤装置の断面図。
【図５】本発明の実施の形態において、フレームに固定された支持板、複数の制御機器モジュール、隣り合う制御機器モジュールの間に跨るダクトカバーおよび制御機器モジュールから引き出されたリード線の相互の位置関係を示す斜視図。
【図６】本発明の実施の形態において、フレームに固定された支持板から制御機器モジュールを分離させた状態を示す斜視図。
【図７】本発明の実施の形態で用いる制御機器モジュールの斜視図。
【図８】本発明の実施の形態で用いる取り付け板の端部の斜視図。
【図９】本発明の実施の形態で用いるリード線保持具の端部の斜視図。
【図１０】本発明の実施の形態において、フレームの支柱に沿って配線されるリード線をカバーで覆った状態を示す斜視図。
【図１１】本発明の実施の形態において、フレームの支柱に沿って配線されるリード線をカバーで覆った状態を示す断面図。
【図１２】本発明の実施の形態において、端子台モジュールの構成を概略的に示す斜視図。
【図１３】本発明の実施の形態において、端子台モジュールの構成を概略的に示す断面図。
【発明を実施するための形態】
【００１４】
以下本発明の実施の形態を図１ないし図１３に基づいて説明する。
【００１５】
図１および図２は、制御盤装置１の全体を概略的に示している。制御盤装置１は、箱形のケーシング２を備えている。ケーシング２は、底板２ａ、左右の側板２ｂ，２ｃ、天板２ｄ、表扉２ｅおよび裏扉２ｆを有している。天板２ｄは、ケーシング２の上端に形成した開口部３を開閉可能に覆っている。
【００１６】
ケーシング２の内部にフレーム４が組み込まれている。フレーム４は、ケーシング２の開口部３からケーシング２の内部に収められている。図３に示すように、フレーム４は、一対の支柱５ａ，５ｂと、第１ないし第３の横桟６ａ，６ｂ，６ｃとで構成されている。支柱５ａ，５ｂは、ケーシング２の高さ方向に沿って起立するとともに、ケーシング２の幅方向に間隔を存して平行に配置されている。
【００１７】
第１の横桟６ａは、支柱５ａ，５ｂの上端の間に架け渡されている。第２および第３の横桟６ｂ，６ｃは、支柱５ａ，５ｂの下部の間に架け渡されている。そのため、フレーム４は、縦長の四角形状に枠組みされており、本実施の形態では、支柱５ａ，５ｂの上端部および下端部がケーシング１の側板２ｂ，２ｃの内面に支柱ホルダ７（図２に一つのみ図示）を介して保持されている。
【００１８】
図４ないし図６に示すように、複数の支持板８がフレーム４に支持されている。各支持板８は、支柱５ａ，５ｂの間に跨る基板部９を有している。基板部９は、第１の端部９ａと第２の端部９ｂとを含んでいる。第１の端部９ａは、一方の支柱５ａの前面にねじ止め又は溶接等の手段により固定されている。同様に、第２の端部９ｂは、他方の支柱５ｂの前面にねじ止め又は溶接等の手段により固定されている。この固定により、支持板８は、支柱５ａ，５ｂの間に亘って水平に架け渡されている。
【００１９】
複数の支持板８は、支柱５ａ，５ｂの高さ方向に一定の間隔Ｌ１を存して並んでいる。各支持板８の基板部９の上縁に上部パネル受け１０ａが形成されている。上部パネル受け１０ａは、基板部９の上縁から基板部９の前方に向けて張り出すとともに、その張り出し端に垂直な支持面１１ａを有している。
【００２０】
同様に、各支持板８の基板部９の下縁に下部パネル受け１０ｂが形成されている。下部パネル受け１０ｂは、基板部９の下縁から基板部９の前方に向けて張り出すとともに、その張り出し端に垂直な支持面１１ｂを有している。上部パネル受け１０ａの支持面１１ａおよび下部パネル受け１０ｂの支持面１１ｂに、夫々一対のねじ孔１２が形成されている。
【００２１】
さらに、基板部９の第１の端部９ａおよび第２の端部９ｂに第１の嵌合部１４が形成されている。第１の嵌合部１４は、フランジ状の嵌合片１４ａを有している。嵌合片１４ａは、第１および第２の端部９ａ，９ｂの縁から支持板８の前方に向けて略直角に折り曲げられている。言い換えると、嵌合片１４ａは、支柱５ａ，５ｂの高さ方向に沿うように基板部９と交差するように折り曲げられている。
【００２２】
図４に最もよく示されるように、複数の制御機器モジュール１５が隣り合う支持板８の間に支持されている。制御機器モジュール１５は、支柱５ａ，５ｂの高さ方向に間隔を存してケーシング２の内部に収められている。
【００２３】
図６および図７に示すように、各制御機器モジュール１５は、モジュール基板１６、機器ユニット１７および一対のリード線保持具１８を備えている。
【００２４】
モジュール基板１６は、取り付け板の一例であり、ケーシング２の幅方向に延びる細長い板状をなしている。モジュール基板１６は、隣り合う支持板８の間に跨るような幅寸法を有している。そのため、モジュール基板１６の上端部は、支持板８の下部パネル受け１０ｂによって受け止められるとともに、モジュール基板１６の下端部は、モジュール基板１６の上端部に対応する支持板８の下方に位置する他の支持板８の上部パネル受け１０ａによって受け止められる。
【００２５】
モジュール基板１６の上端部および下端部に、夫々一対のねじ挿通孔１９が形成されている。夫々のねじ挿通孔１９にモジュール基板１６の前方からねじ２０が挿入されている。ねじ２０は、ねじ挿通孔１９を貫通して支持板８のねじ孔１２にねじ込まれている。このねじ込みにより、モジュール基板１６が隣り合う二つの支持板８の間に跨った状態でフレーム４に支持されている。
【００２６】
図４および図７に示すように、モジュール基板１６の上端および下端に略直角に折り曲げられたフランジ部２２ａ，２２ｂが形成されている。フランジ部２２ａ，２２ｂは、モジュール基板１６の全長に亘って延びているとともに、モジュール基板１６の背後に張り出している。図８に一方のフランジ部２２ａを代表して示すように、フランジ部２２ａ，２２ｂは、互いに向かい合うフラットな合面２３を有し、この合面２３の上に第１の係合突起２４が形成されている。
【００２７】
さらに、モジュール基板１６は第１の端部１６ａおよび第２の端部１６ｂを含んでいる。第１の端部１６ａは、フレーム４の支柱５ａと隣り合うとともに、第２の端部１６ｂは、フレーム４の支柱５ｂと隣り合っている。モジュール基板１６の第１の端部１６ａおよび第２の端部１６ｂに、夫々第２の嵌合部２５が形成されている。第２の嵌合部２５は、フランジ状の嵌合片２５ａを有している。嵌合片２５ａは、第１および第２の端部１６ａ，１６ｂからモジュール基板１６の背後に向けて略直角に折り曲げられている。言い換えると、嵌合片２５ａは、支柱５ａ，５ｂの高さ方向に沿うようにモジュール基板１６と交差するように折り曲げられている。
【００２８】
図１１に示すように、モジュール基板１６の嵌合片２５ａは、支持板８の嵌合片１４ａの前方に位置するとともに、嵌合片１４ａよりもフレーム４の幅方向に沿う内側にずれている。さらに図５に示すように、支持板の嵌合片１４ａとモジュール基板１６の嵌合片２５ａとは、支柱５ａ，５ｂの高さ方向に沿って交互に並んでいる。したがって、支持板の嵌合片１４ａおよびモジュール基板１６の嵌合片２５ａは、フレーム４を前方から見た時に、ジグザグ状に配置されている。
【００２９】
図７に示すように、機器ユニット１７は、モジュール基板１６の前面に実装されている。機器ユニット１７は、複数の電気機器２７を有している。個々の電気機器２７に複数のリード線２８が接続されている。リード線２８は、電気機器２７からモジュール基板１６の上方および下方の二方向に振り分けて引き出されている。
【００３０】
リード線保持具１８は、電気機器２７から引き出されたリード線２８を一本ずつ整列させた状態で保持するためのものであり、モジュール基板１６の上下のフランジ部２２ａ，２２ｂに支持されている。
【００３１】
図７および図９に示すように、リード線保持具１８は、複数のリード線保持溝３０および嵌合溝３１を有している。リード線保持溝３０は、リード線２８を一本ずつ通すためのものであって、モジュール基板１６の長手方向に間隔を存して一列に並んでいる。嵌合溝３１は、モジュール基板１６の前方に向けて開口されており、この嵌合溝３１にモジュール基板１６のフランジ部２２ａ，２２ｂが嵌め込まれている。
【００３２】
嵌合溝３１の開口端に第２の係合突起３２が形成されている。第２の係合突起３２は、嵌合溝３１にフランジ部２２ａ，２２ｂを嵌め込んだ時に、第１の係合突起２４に引っ掛かる。これにより、リード線保持具１８がモジュール基板１６の上下のフランジ部２２ａ，２２ｂに一体的に保持されている。
【００３３】
図４および図５に示すように、リード線２８は、モジュール基板１６の前方から一本ずつリード線保持溝３０に挿通されている。リード線２８は、リード線保持溝３０から支持板８の前面に引き出されるとともに、ここから支持板８の前面を横切って支柱５ａ，５ｂに向けて導かれている。さらに、リード線２８は、所定の回路毎に束ねられるとともに、支柱５ａ，５ｂに沿うようにして配線されている。
【００３４】
隣り合う制御機器モジュール１５の間に合成樹脂製のダクトカバー３４が取り付けられている。ダクトカバー３４は、隣り合う制御機器モジュール１５のリード線保持具１８の間に跨って保持されており、前記支持板８と向かい合っている。そのため、ダクトカバー３４は、支持板８との間にリード線２８を収めるダクト３５を形成している。ダクト３５は、ケーシング２の幅方向に沿って水平に延びており、このダクト３５の端部から引き出されたリード線２８が支柱５ａ，５ｂに沿って配線されている。
【００３５】
図１０および図１１に示すように、制御盤装置１は、支柱５ａ，５ｂに沿って配線されたリード線２８を覆うカバー３７を備えている。カバー３７は、支柱５ａ，５ｂに沿って延びる細長い板状の一体構造物であり、複数の支持板８の間に亘るような長さ寸法を有している。さらに、カバー３７は、例えば合成樹脂材料により形成されて、弾性変形が可能となっている。
【００３６】
図１１に示すように、カバー３７は、第１の縁部３８ａと第２の縁部３８ｂとを備えている。第１の縁部３８ａは、支柱５ａ，５ｂの前面と向かい合っている。第２の縁部３８ｂは、第１の縁部３８ａの反対側に位置している。
【００３７】
第１の縁部３８ａに支持板８の嵌合片１４ａが嵌まり込む第１の溝３９が形成されている。同様に、第２の縁部３８ｂにモジュール基板１６の嵌合片２５ａが嵌まり込む第２の溝４０が形成されている。第１の溝３９および第２の溝４０は、カバー３７の全長に亘って延びている。
【００３８】
このことから、支持板８の嵌合片１４ａをカバー３７の第１の溝３９に嵌め込むとともに、モジュール基板１６の嵌合片２５ａをカバー３７の第２の溝４０に嵌め込むことで、カバー３７が支柱５ａ，５ｂの前面と制御基板モジュール１５の端部との間に跨って保持されている。したがって、カバー３７は、支柱５ａ，５ｂに沿って配線されるリード線２８が支柱５ａ，５ｂの前方に張り出さないように、リード線２８をケーシング２の前方から覆っている。これにより、リード線２８の配線経路が定まり、複数のリード線２８をケーシング２の内部に整然と配線することができる。
【００３９】
さらに、カバー３７の第１の溝３９と支持板８の嵌合片１４ａとの嵌合部分およびカバー３７の第２の溝４０とモジュール基板１６の嵌合片２５ａとの嵌合部分は、支柱５ａ，５ｂの長手方向に沿って交互に配置されており、これによりカバー３７が全長に亘って保持されている。
【００４０】
加えて、第１の溝３９と嵌合片１４ａとの嵌合状態および第２の溝４０と嵌合片２５ａとの嵌合状態は、合成樹脂製のカバー３７が持つ固有の弾力により維持されている。そのため、カバー３７は、例えばねじのような専用の固定具を用いることなく、支柱５ａ，５ｂに沿って起立した姿勢に保持されている。
【００４１】
図１に示すように、ケーシング２の下部に端子台モジュール５０が収容されている。端子台モジュール５０は、フレーム４の下部に支持されている。図１２および図１３に示すように、端子台モジュール５０は、複数の端子台ブロック５１ａ，５１ｂ，５１ｃを備えている。端子台ブロック５１ａ，５１ｂ，５１ｃは、ケーシング２の幅方向に間隔を存して一列に並んでいる。
【００４２】
端子台ブロック５１ａ，５１ｂ，５１ｃは、夫々取り付け板５２、端子台５３およびリード線保持具５４を備えている。取り付け板５２は、ケーシング２の高さ方向に沿って起立している。取り付け板５２の一端に嵌合部５５が形成されている。嵌合部５５は、フランジ状の嵌合片５５ａを有している。嵌合片５５ａは、取り付け板５２の一端から取り付け板５２の背後に向けて略直角に折り曲げられている。
【００４３】
端子台５３は、機器の一例であって、取り付け板５２の前面に実装されている。端子台５３は、外線側端子５３ａと内線側端子５３ｂとを有している。外線側端子５３ａに複数の外側リード線５７が接続されている。外側リード線５７は、一つに束ねられるとともに、取り付け板５２の前面に沿って下方に導かれている。内線側端子５３ｂに複数の内側リード線５８が接続されている。内側リード線５８は、端子台５３を境として外側リード線５７の反対側に引き出されている。
【００４４】
リード線保持具５４は、内線側端子５３ｂから引き出された内側リード線５８を一本ずつ整列させた状態で保持するためのものであり、取り付け板５２の他端に支持されている。リード線保持具５４は、嵌合溝６０が形成された本体６１と、複数のリード線保持溝６２が形成された保持部６３とを備えている。嵌合溝６０は本体６１の一端に開口されており、この嵌合溝６０に取り付け板５２の他端が嵌め込まれている。これにより、リード線保持具５４の本体６１が取り付け板５２の他端に一体的に保持されている。
【００４５】
保持部６３は、取り付け板５２と略直交するように本体６１から突出している。本実施の形態によると、保持部６３の先端縁は、隣り合う他の取り付け板５２の嵌合片５５ａと向かい合っている。言い換えると、取り付け板５２の嵌合片５５ａは、取り付け板５２の一端から隣り合う他の取り付け板５２の保持部６３の先端縁に向けて折り曲げられている。
【００４６】
リード線保持溝６２は、内側リード線５８を一本ずつ通すためのものであって、取り付け板５２の起立方向に間隔を存して一列に並んでいる。リード線保持溝６２を通過した内側リード線５８は、一つに束ねられるとともに、取り付け板５２の上方に向けて配線されている。
【００４７】
図１２および図１３に示すように、取り付け板５２の嵌合片５５ａと、隣り合う他の取り付け板５２のリード線保持具５４との間に跨ってカバー６５が取り付けられている。カバー６５は、取り付け板５２に沿って起立する細長い板状の一体構造物であり、取り付け板５２の全長に亘るような長さ寸法を有している。さらに、カバー６５は、例えば合成樹脂材料により形成されて、弾性変形が可能となっている。
【００４８】
カバー６５は、第１の縁部６６ａと第２の縁部６６ｂとを備えている。第１の縁部６６ａは、取り付け板５２の嵌合片５５ａと向かい合っている。第２の縁部６６ｂは、リード線保持具５４の保持部６３の先端と向かい合っている。
【００４９】
第１の縁部６６ａに取り付け板５２の嵌合片５５ａが嵌まり込む第１の溝６７が形成されている。同様に、第２の縁部６６ｂにリード線保持具５４の保持部６３の先端が嵌まり込む第２の溝６８が形成されている。第１の溝６７および第２の溝６８は、カバー６５の全長に亘って延びている。
【００５０】
このことから、取り付け板５２の嵌合片５５ａをカバー６５の第１の溝６７に嵌め込むとともに、リード線保持具５４の保持部６３の先端をカバー６５の第２の溝６８に嵌め込むことで、カバー６５が取り付け板５２の嵌合片５５ａとリード線保持具５４の保持部６３との間に跨って保持されている。
【００５１】
したがって、カバー６５は、端子台ブロック５１ａ，５１ｂ，５１ｃ毎にリード線保持具５４を通過した内側リード線５８を覆うことで、これら内側リード線５８が配線される領域と外側リード線５７が配線される領域との間を仕切っている。これにより、内側リード線５８および外側リード線５７の配線経路が定まり、内側リード線５８および外側リード線５７を端子台モジュール５０の内部において整然と配線することができる。
【００５２】
さらに、カバー６５の第１の溝６７と取り付け板５２の嵌合片５５ａとの嵌合状態およびカバー６５の第２の溝６８とリード線保持具５４の保持部６３との嵌合状態は、合成樹脂製のカバー６５が持つ固有の弾力により維持されている。そのため、カバー６５は、ねじのような専用の固定具を用いることなく、隣り合う取り付け板５２に沿って起立した姿勢に保持されている。
【００５３】
このような構成の制御盤装置１によると、支柱５ａ，５ｂに沿って配線されるリード線２８の配線経路を規定するカバー３７は、複数の支持板８の間に亘るような長さ寸法を有する一体構造物となっている。そのため、支柱５ａ，５ｂに沿って配線されるリード線２８を夫々一つのカバー３７で覆って保持することができる。
【００５４】
さらに、カバー３７は、第１の溝３９に支持板８の嵌合片１４ａに嵌め込むとともに、第２の溝４０にモジュール基板１６の嵌合片２５ａを嵌め込むことでケーシング２の内部に保持される。このため、制御機器モジュール１５の構成要素であるモジュール基板１６および制御機器モジュール１５をフレーム４に支持するための支持板８を利用してカバー３７を保持することができ、カバー３７を保持するねじのような専用の構成要素を省略することができる。
【００５５】
よって、リード線２８を保持するために必要な部品点数を少なく抑えて、構造を簡略化することができ、制御盤装置１のコストを低減することができる。
【００５６】
しかも、カバー３７は、第１および第２の溝３９，４０に嵌合片１４ａ，２５ａを単に弾性的に嵌め込むことで保持されているので、カバー３７を取り外すには、第１および第２の溝３９，４０が嵌合片１４ａ，２５ａから外れるように、カバー３７を弾性的に変形させるだけでよい。したがって、カバー３７を着脱するに際して面倒な作業を必要とせず、カバー３７の着脱作業ひいては制御盤装置１の組み立ておよび分解作業を極めて簡単に行なうことができる。
【００５７】
一方、端子台モジュール５０では、取り付け板５２の嵌合片５５ａと、隣り合う他の取り付け板５２のリード線保持具５４との間に跨るカバー６５を用いて外側リード線５７が配線される領域と内側リード線５８が配線される領域とを規定している。カバー６５は、取り付け板５２の全長に亘る一体構造物となっているので、カバー６５の数を少なく抑えることができる。
【００５８】
さらに、カバー６５は、第１の溝６７に取り付け板５２の嵌合片５５ａを嵌め込むとともに、第２の溝６８にリード線保持具５４の保持部６３を嵌め込むことで端子台モジュール５０の内部に保持される。このため、各端子台ブロック５１ａ，５１ｂ，５１ｃの構成要素である取り付け板５２およびリード線保持具５４を利用してカバー６５を保持することができ、カバー６５を保持するねじのような専用の構成要素を省略することができる。
【００５９】
よって、端子台モジュール５０の部品点数を少なく抑えて構造を簡略化することができ、この点でも制御盤装置１のコストを低減する上で有利となる。
【００６０】
加えて、カバー６５は、第１および第２の溝６７，６８に嵌合片５５および保持部６３を弾性的に嵌め込むことで保持されている。そのため、カバー６５を取り外すには、第１および第２の溝６７，６８が嵌合片５５および保持部６３から外れるように、カバー６５を弾性的に変形させるだけでよい。
【００６１】
したがって、カバー６５を着脱するに際して面倒な作業を必要とせず、カバー６５の着脱作業を極めて簡単に行えるといった利点がある。
【００６２】
なお、本発明は上記実施の形態に特定されるものではなく、発明の趣旨を逸脱しない範囲内で種々変形して実施することができる。
【００６３】
例えば、支持板に形成する第１の嵌合部および取り付け板に形成する第２の嵌合部は、フランジ状の嵌合片に限らず、例えばスリットとしてもよい。第１および第２の嵌合部をスリットとした場合、カバーにスリットに嵌合可能な突起を設け、この突起をスリットに嵌め込むことでカバーを保持するようにしてもよい。
【００６４】
さらに、例えばカバーは支柱に沿う一体構造物に制約されるものではなく、カバーを支柱の長手方向に沿って複数に分割してもよい。
【産業上の利用可能性】
【００６５】
本発明によれば、リード線をカバーで覆う制御盤装置に適用することで、部品点数を少なく抑えてコストを低減できるとともに、カバーの着脱時の作業性を改善することができる。
【符号の説明】
【００６６】
２…ケーシング、４…フレーム、５ａ，５ｂ…支柱、８…支持板、１４…第１の嵌合部、１６，５２…取り付け板（モジュール基板）、２５…第２の嵌合部、２７，５３…機器（電気機器、端子台）、２８，５７，５８…リード線（外側リード線、内側リード線）、３７，６５…カバー、５４…リード線保持具、５５…嵌合部、
【図１】
2011061908.tif 000003
【図２】
2011061908.tif 000004
【図３】
2011061908.tif 000005
【図４】
2011061908.tif 000006
【図５】
2011061908.tif 000007
【図６】
2011061908.tif 000008
【図７】
2011061908.tif 000009
【図８】
2011061908.tif 000010
【図９】
2011061908.tif 000011
【図１０】
2011061908.tif 000012
【図１１】
2011061908.tif 000013
【図１２】
2011061908.tif 000014
【図１３】
2011061908.tif 000015